(57)【特許請求の範囲】
【請求項１】
操作ハンドルにより操作される開閉機構部と、上記開閉機構部と連動して回動するクロスバーと、上記クロスバーと連動する可動接触子と、上記可動接触子と接離を繰り返す固定接触子と、上記クロスバー、上記可動接触子、上記固定接触子を収納するベースと、を備えた回路遮断器において、
上記ベースは、上記可動接触子の少なくとも接点部位を囲むように設けられた隔壁を有し、上記隔壁は、該隔壁上部の始点から上記可動接触子と上記固定接触子が閉成した時に、上記可動接触子の底面の上部から上記可動接触子の上面までの間に終点がある傾斜面を有し、上記傾斜面の終点より下部をストレート形状にすることを特徴とする回路遮断器。
【請求項２】
上記クロスバーは、複数のモジュールを接続して構成したものであることを特徴とする請求項１に記載の回路遮断器。
【発明の詳細な説明】
【技術分野】
【０００１】
この発明は、配線用遮断器や漏電遮断器などの回路遮断器に係り、特に、回路遮断器の筐体を構成するベースの形状を改良した回路遮断器に関するものである。
【背景技術】
【０００２】
例えば特開平８−６９７４０号公報（特許文献１）に開示されているように、従来の回路遮断器には、金属板製の可動子導体の一端に形成された所定幅の板面に、固定接点に対向する可動接点を設け、可動子導体の他端は、ケースの底面に対し板面が垂直になるように可動子導体の中間部分を９０度捻って形成された可動接触子を備えたものがある。そして、この可動接触子のケースの底面に対し垂直になった部分に、可動接触子の動作に支障のない範囲で狭いスリットを有する隔壁を設け、開閉接点部に発生するアークガスがリンク機構側へ侵入しないようにしている。
【０００３】
また、可動接触子を回動可能に保持する接点支持シャフトは通常一体構造であるが、例えば特表２００５−５１２２９１号公報（特許文献２）に開示されているように、各種極数への対応を容易にするため複数のモジュールを接続し、接点支持シャフトを構成するようにしたものも知られている。
【先行技術文献】
【特許文献】
【０００４】
【特許文献１】特開平８−６９７４０号公報（要約の欄、図３、図７）
【特許文献２】特表２００５−５１２２９１号公報（要約の欄、図１、図４）
【発明の概要】
【発明が解決しようとする課題】
【０００５】
特許文献１に開示された従来の回路遮断器は、上記のように開閉機構部と連動して回動する可動接触子を囲むようにベースに隔壁が設けられているが、このような回路遮断器に、特許文献２に開示されている複数のモジュールを接続して構成した接点支持シャフトを適用した場合、大電流通電による遮断時に各可動接触子に電磁反発力が働くと、例えば、３極の回路遮断器であると、両サイドの可動接触子の接点部は、互いに外側に広がることとなる。この際、接点支持シャフトが一体構造のものと比して複数のモジュールを接続して構成したものは、接点支持シャフトが湾曲し、両サイドの可動接触子がより外側に広がり易く、可動接触子がベースに設けられた隔壁に接触することがある。可動接触子が隔壁に接触すると摩擦により可動接触子の開極速度が遅くなるため、遮断時間が長くなり、ひいては遮断時における開閉接点の消耗が大きくなるという問題があった。また、可動接触子とベースの摩擦による開閉耐久性能が低下するという問題もあった。
【０００６】
この発明は、上記の課題を解決するためになされたもので、遮断時間が遅延することがなく開閉接点の消耗を抑制することができると共に、開閉耐久性能を向上することができる回路遮断器を提供するものである。
【課題を解決するための手段】
【０００７】
この発明に係る回路遮断器は、操作ハンドルにより操作される開閉機構部と、上記開閉機構部と連動して回動するクロスバーと、上記クロスバーと連動する可動接触子と、上記可動接触子と接離を繰り返す固定接触子と、上記クロスバー、上記可動接触子、上記固定接触子を収納するベースと、を備えた回路遮断器において、上記ベースは、上記可動接触子の少なくとも接点部位を囲むように設けられた隔壁を有し、上記隔壁は、該隔壁上部の始点から上記可動接触子と上記固定接触子が閉成した時に、上記可動接触子の底面の上部から上記可動接触子の上面までの間に終点がある傾斜面を有し、上記傾斜面の終点より下部をストレート形状にするものである。
【発明の効果】
【０００８】
この発明に係る回路遮断器によれば、上記構成により、可動接触子とベースに設けられた隔壁との摩擦が低減され、回路遮断器の遮断時に開極速度が低下しなくなる。従って、遮断時間が遅延することがなく開閉接点の消耗を抑制することができる。また、摩擦が低減されることにより開閉耐久性能を向上することができる。更に、傾斜面の終点より下部をストレート形状にすることにより可動接触子が位置決めされて、安定した開閉機能を発揮する効果がある。
【図面の簡単な説明】
【０００９】
【図１】この発明の実施の形態１に係る回路遮断器を示す分解斜視図である。
【図２】図１に示す矢視Ｘ１−Ｘ１の要部断面図である。
【図３】この発明の実施の形態１に係る回路遮断器の要部拡大斜視図である。
【図４】図２及び図３に示す矢視Ｘ２−Ｘ２の断面図である。
【図５】図４の要部拡大断面図である。
【図６】図１に示すクロスバーの拡大斜視図である。
【図７】この発明の実施の形態２に係る回路遮断器の要部拡大斜視図である。
【図８】図７に示す矢視Ｘ３−Ｘ３の断面図である。
【図９】図８の要部拡大断面図である。
【図１０】この発明の実施の形態３に係る回路遮断器の図４相当図である。
【図１１】この発明の実施の形態４に係る回路遮断器の図８相当図である。
【発明を実施するための形態】
【００１０】
実施の形態１．
図１は、この発明の実施の形態１に係る回路遮断器を上下方向に分解して示す分解斜視図であり、図２は、図１に示す矢視Ｘ１−Ｘ１の要部断面図である。図３は、この発明の実施の形態１に係る回路遮断器の要部拡大斜視図で、ベースに設けられた隔壁と遮断ユニットの要部を示す図である。また、図４は、図２及び図３に示す矢視Ｘ２−Ｘ２の断面図、図５は、図４の要部拡大断面図、図６は、図１に示すクロスバーの拡大斜視図である。
【００１１】
図１において、回路遮断器１００は、絶縁材料で形成されたベース１０とカバー１１からなる筐体１２を備えて構成される。ベース１０上には、三相の各相の回路遮断ユニット１３Ａ、１３Ｂ、１３Ｃが互いに並列に配置される。ベース１０は、一対の外壁１０Ａ、１０Ｂと、一対の仕切壁１０Ｃ、１０Ｄを備えている。外壁１０Ａと仕切壁１０Ｃの間には回路遮断ユニット１３Ａが配置され、仕切壁１０Ｃと仕切壁１０Ｄの間には回路遮断ユニット１３Ｂが配置され、仕切壁１０Ｄと外壁１０Ｂとの間には回路遮断ユニット１３Ｃが配置される。
【００１２】
回路遮断ユニット１３Ａ、１３Ｂ、１３Ｃの上部には、回路遮断ユニット１３Ａ、１３Ｂ、１３Ｃと開閉機構部１４とを隔離する隔壁を有し、開閉機構部１４を収納したミドルベース１５が設けられる。このミドルベース１５及び開閉機構部１４を覆うようにカバー１１が設けられている。開閉機構部１４を操作する操作ハンドル１６は、カバー１１に設けられた窓１１Ａから外部に突出している。
【００１３】
クロスバー１７は、各相の回路遮断ユニット１３Ａ、１３Ｂ、１３Ｃに共通して、各相の回路遮断ユニット１３Ａ、１３Ｂ、１３Ｃに直交するように、ベース１０上に配置されている。
【００１４】
各相の回路遮断ユニット１３Ａ、１３Ｂ、１３Ｃは、図２に示すように、ベース１０に設けられた電源側端子１８と、電源側端子１８より延設された固定接触子１９と、固定接
触子１９に設けられた固定接点２０を備え、更に、固定接点２０と接離する可動接点２１と、この可動接点２１が一端に設けられ、クロスバー１７により回動自由に保持される可動接触子２２と、この可動接触子２２に接続された過電流引き外し装置２３と、過電流引き外し装置２３に接続され、ベース１０に設けられた負荷側端子２４とを備え、互いに同様に構成される。可動接点２１が固定接点２０に接触すれば、電源側端子１８と負荷側端子２４の間の電気回路がオンとなり、また、可動接点２１が固定接点２０から開離すれば、電源側端子１８と負荷側端子２４の間の電気回路がオフとなる。
【００１５】
クロスバー１７は、開閉機構部１４によりその軸心を中心として回動されると共に、各相の回路遮断ユニット１３Ａ、１３Ｂ、１３Ｃの各可動接触子２２が取り付けられる。クロスバー１７がその軸心を中心として回動したときに、各相の回路遮断ユニット１３Ａ、１３Ｂ、１３Ｃの各可動接触子２２が同時に回動され、この可動接触子２２の回動により、可動接点２１が固定接点２０に接離する。
【００１６】
図３、図４において、ベース１０には、回路遮断ユニット１３Ａの可動接触子２２ａの少なくとも接点部位を囲むように、外壁１０Ａに隔壁１０Ａ１が、仕切り壁１０Ｃに隔壁１０Ｃ１が設けられている。同様に、ベース１０に回路遮断ユニット１３Ｃの可動接触子２２ｃの少なくとも接点部位を囲むように、外壁１０Ｂには隔壁１０Ｂ１が、仕切り壁１０Ｄに隔壁１０Ｄ１が設けられている。さらに、回路遮断ユニット１３Ｂの可動接触子２２ｂの少なくとも接点部位を囲むように、仕切り壁１０Ｃに隔壁１０Ｃ２が、仕切り壁１０Ｄに隔壁１０Ｄ２が設けられている。
【００１７】
また、隔壁１０Ａ１及び隔壁１０Ｂ１には、それぞれ傾斜面１０Ａ１ａ及び傾斜面１０Ｂ１ａが設けられている。この傾斜面１０Ａ１ａ及び傾斜面１０Ｂ１ａは、上方に向かって隣接する隔壁１０Ｃ１、１０Ｄ１との間隔が広がる傾斜面となっている。図５を用いて、傾斜面１０Ａ１ａについて詳細に説明する。
【００１８】
図５において、傾斜面１０Ａ１ａは、隔壁１０Ａ１の上部の始点１０Ａ１ａ１から、可動接触子２２ａと固定接触子（図示せず）が閉成した時に、可動接触子２２ａの底面Ｌより上部から可動接触子２２ａの上面Ｈまでの間に終点１０Ａ１ａ２を有する斜度の少ない傾斜面である。
【００１９】
また、傾斜面１０Ａ１ａの終点１０Ａ１ａ２より下部は、ストレート形状１０Ａ１ｂとなっている。この形状は可動接触子２２ａと固定接触子が閉成する時、可動接触子２２ａの位置決めの役割を行うことになり、安定した開閉機能を得ることが可能となる。なお、傾斜面１０Ｂ１ａについては、傾斜面１０Ａ１ａと左右対称の関係であり、同じ構成であるので説明は省略する。また、中央極である回路遮断ユニット１３Ｂの可動接触子２３ｂについては、両側の極に比べ左右に振れる可能性が低いので、隔壁に傾斜面は設けていない。
【００２０】
図６に示すように、クロスバー１７は、回路遮断ユニット１３Ａの可動接触子２２ａを保持した第１のモジュール１７ａと、回路遮断ユニット１３Ｂの可動接触子２２ｂを保持した第２のモジュール１７ｂと、回路遮断ユニット１３Ｃの可動接触子２２ｃを保持した第３のモジュール１７ｃと、第１のモジュール１７ａ及び第２のモジュール１７ｂを接続する第４のモジュール１７ｄと、第２のモジュール１７ｂ及び第３のモジュール１７ｃを接続する第５のモジュール１７ｅと、から構成されている。各モジュール１７ａ〜１７ｅは、互いに係合するように接続され、一体のクロスバー１７として動作する。
【００２１】
上記のように、実施の形態１に係る回路遮断器１００は、隔壁１０Ａ１、１０Ｂ１にそれぞれ上方に向かって隣接する隔壁１０Ｃ１、１０Ｄ１との間隔が広がる傾斜面１０Ａ１
ａ、１０Ｂ１ａを設けたので、両サイドの可動接触子２２ａ、２２ｃが外側に広がっても可動接触子２２とベース１０に設けた隔壁１０Ａ１、１０Ｂ１との摩擦が低減され、遮断時には開極速度の向上により、遮断時間を短縮でき接点消耗を抑制できる。さらに、摩擦が低減されることにより開閉耐久性能を向上することができる。
【００２２】
また、傾斜面１０Ａ１ａ、１０Ｂ１ａの終点１０Ａ１ａ２、１０Ｂ１ａ２は、可動接触子２２の底面Ｌより上部から上面Ｈの間に設けられ、かつ、終点１０Ａ１ａ２、１０Ｂ１ａ２より下部はストレート形状１０Ａ１ｂ、１０Ｂ１ｂとなっているので、可動接点２１と固定接点２０の閉成時に可動接触子２２が位置決めされ、安定した開閉機能を得ることができる。
【００２３】
実施の形態２．
次に、この発明の実施の形態２に係る回路遮断器について説明する。図７は、実施の形態２に係る回路遮断器の要部拡大斜視図で、ベースに設けられた隔壁と遮断ユニットの要部を示す図であり、図８は、図７に示す矢視Ｘ３−Ｘ３の断面図である。図９は、図８の要部拡大断面図である。なお、各図において、実施の形態１と同一もしくは相当部分に同一符号を付している。
【００２４】
実施の形態１に係るクロスバー１７は、分割構造となっている。このため、遮断時に可動接触子２２が外側に広がるのみでなく、ＯＮ／ＯＦＦ時には、可動接触子２２がクロスバー１７の支持部を支点として捩れてしまうことがある。その際には、可動接触子２２が内側の隔壁に接触する問題が発生する。そこで実施の形態２に係る回路遮断器２００は、隔壁の傾斜面を片側のみでなく、両側に設けたものである。
【００２５】
図７乃至図９において、隔壁１０Ａ１及び隔壁１０Ｃ１、隔壁１０Ｂ１及び隔壁１０Ｄ１には、それぞれ傾斜面１０Ａ１ａ及び傾斜面１０Ｃ１ａ、傾斜面１０Ｂ１ａ及び傾斜面１０Ｄ１ａが設けられている。傾斜面１０Ａ１ａと傾斜面１０Ｂ１ａについては、実施の形態１と同じであり、詳細説明は省略する。また、傾斜面１０Ｃ１ａ、傾斜面１０Ｄ１ａも傾斜面１０Ａ１ａ、傾斜面１０Ｂ１ａと同様に、上方に向かって隣接する隔壁１０Ａ１、隔壁１０Ｂ１との間隔が広がる傾斜面となっている。
【００２６】
傾斜面１０Ｃ１ａは、図９に見られるように、隔壁１０Ｃ１の上部の始点１０Ｃ１ａ１から、可動接触子２２ａと固定接触子（図示せず）が閉成した時に、可動接触子２２ａの底面Ｌの上部から可動接触子２２ａの上面Ｈまでの間に終点１０Ｃ１ａ２を有する斜度の少ない傾斜である。また、傾斜面１０Ｄ１ａも同様で、図８に見られるように、隔壁１０Ｄ１の上部の始点１０Ｄ１ａ１から可動接触子２２ｃと固定接触子が閉成した時に、可動接触子２２ｃの底面の上部から可動接触子２２ｃの上面までの間に終点１０Ｄ１ａ２を有する斜度の少ない傾斜である。
【００２７】
また、傾斜面１０Ｃ１ａ、１０Ｄ１ａの終点１０Ｃ１ａ２、１０Ｄ１ａ２は、可動接触子２２ａ、２２ｃの底面Ｌより上部から上面Ｈの間に設けられ、かつ、終点１０Ｃ１ａ２、１０Ｄ１ａ２より下部はストレート形状１０Ｃ１ｂ、１０Ｄ１ｂとなっているので、可動接点２１と固定接点２０の閉成時に可動接触子２２ａ、２２ｃが位置決めされ、安定した開閉機能を得ることができる。
【００２８】
上記のように、実施の形態２に係る回路遮断器２００は、隔壁１０Ａ１、１０Ｂ１にそれぞれ設けられた傾斜面１０Ａ１ａ、１０Ｂ１ａに加え、隔壁１０Ｃ１、１０Ｄ１にも、それぞれ傾斜面１０Ｃ１ａ、１０Ｄ１ａを設けたので、遮断時のみでなくＯＮ／ＯＦＦ時の可動接触子２２の捩れに対しても、可動接触子２２とベース１０に設けた隔壁１０Ｃ１、１０Ｄ１との摩擦を低減することができる。
【００２９】
実施の形態３．
次に、この発明の実施の形態３に係る回路遮断器について説明する。図１０はこの発明の実施の形態３に係る回路遮断器の断面図を示す図４相当図である。
実施の形態１では３極の回路遮断器について説明したが、実施の形態３はこの発明を４極の回路遮断器に適用したもので、その他の構成については実施の形態１と同様のため同一符号を付して説明を省略する。
【００３０】
図１０において、実施の形態３に係る回路遮断器３００は、回路遮断ユニット１３Ａの外壁１０Ａの外側に中性極を追加したもので、追加された極は外壁１０Ｅにより形成されており、外壁１０Ｅには、可動接触子の側に隔壁１０Ｅ１が設けられている。外壁１０Ａには、中性極側に隔壁１０Ａ２が設けられている。そして、隔壁１０Ｅ１には、実施の形態１と同様に傾斜面１０Ｅ１ａが設けられ、傾斜面１０Ｅ１ａの下部は、ストレート形状１０Ｅ１ｂとなっている。
【００３１】
上記構成の実施の形態３によれば、可動接触子２２とベース１０に設けた隔壁１０Ａ１、１０Ｂ１、１０Ｅ１との摩擦が低減され、遮断時には開極速度が向上により、遮断時間を短縮でき接点消耗を抑制できる。さらに、摩擦が低減されることにより開閉耐久性能を向上することができる。
【００３２】
また、各隔壁の下部はストレート形状１０Ａ１ｂ、１０Ｂ１ｂ、１０Ｅ１ｂとなっているので、可動接点２１と固定接点２０の閉成時に可動接触子２２が位置決めされ安定した開閉機能を得ることができる。
【００３３】
実施の形態４．
次に、この発明の実施の形態４に係る回路遮断器について説明する。図１１はこの発明の実施の形態４に係る回路遮断器の断面図を示す図８相当図である。
実施の形態２では３極の回路遮断器について説明したが、実施の形態４はこの発明を４極の回路遮断器に適用したもので、その他の構成については実施の形態２と同様のため同一符号を付して説明を省略する。
【００３４】
図１１において、実施の形態４に係る回路遮断器４００は、実施の形態３と同様に、回路遮断ユニット１３Ａの外壁１０Ａの外側に追加された極は、外壁１０Ｅにより形成されており、外壁１０Ｅには、可動接触子の側に隔壁１０Ｅ１が設けられている。外壁１０Ａには、中性極側に隔壁１０Ａ２が設けられている。そして、隔壁１０Ｅ１には、実施の形態２と同様に傾斜面１０Ｅ１ａが設けられ、傾斜面１０Ｅ１ａの下部は、ストレート形状１０Ｅ１ｂとなっている。
【００３５】
上記構成の実施の形態４によれば、実施の形態３と同様の効果を得ることができる。
【００３６】
以上、この発明に係る回路遮断器の実施の形態１から４について説明したが、これらの実施の形態により発明が限定されるものではなく、その発明の範囲内において、各実施の形態を組み合わせたり、各実施の形態を適宜、変更、省略することが可能である。
【符号の説明】
【００３７】
１０  ベース
１０Ａ、１０Ｂ、１０Ｅ  外壁
１０Ｃ、１０Ｄ  仕切壁
１０Ａ１、１０Ｂ１、１０Ｃ１、１０Ｄ１、１０Ｅ１  隔壁
１０Ａ２、１０Ｃ２、１０Ｄ２  隔壁
１０Ａ１ａ、１０Ｂ１ａ、１０Ｃ１ａ、１０Ｄ１ａ、１０Ｅ１ａ  傾斜面
１０Ａ１ａ１、１０Ｄ１ａ１  始点
１０Ａ１ａ２、１０Ｃ１ａ２、１０Ｄ１ａ２  終点
１０Ａ１ｂ、１０Ｃ１ｂ、１０Ｄ１ｂ、１０Ｅ１ｂ  ストレート形状
１１  カバー
１１Ａ  窓
１２  筐体
１３Ａ、１３Ｂ、１３Ｃ  回路遮断ユニット
１４  開閉機構部
１５  ミドルベース
１６  操作ハンドル
１７  クロスバー
１７ａ〜１７ｅ  モジュール
１８  電源側端子
１９  固定接触子
２０  固定接点
２１  可動接点
２２、２２ａ、２２ｂ、２２ｃ  可動接触子
２３  過電流引き外し装置
２４  負荷側端子
１００、２００、３００、４００  回路遮断器
【図１】
0005784480.tif 000002
【図２】
0005784480.tif 000003
【図３】
0005784480.tif 000004
【図４】
0005784480.tif 000005
【図５】
0005784480.tif 000006
【図６】
0005784480.tif 000007
【図７】
0005784480.tif 000008
【図８】
0005784480.tif 000009
【図９】
0005784480.tif 000010
【図１０】
0005784480.tif 000011
【図１１】
0005784480.tif 000012